【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
印刷装置であって、
シートに画像を印刷する印刷手段と、
前記印刷手段により印刷されるシートの枚数を計数する計数手段と、
印刷の実行中に前記計数が行われない所定のモードを設定する設定手段と、
外部装置からネットワークを介して印刷データを受信する受信手段と、
前記所定のモードが設定されている状態で前記ネットワークを介して受信した印刷データが、前記印刷データがメンテナンス用のデータであることを示す情報を含むか否かを判定する判定手段と、
前記印刷データが前記情報を含むと判定された場合に前記印刷データに基づく画像データに特定のパターンを重畳して印刷するように前記印刷手段を制御し、前記印刷データが前記情報を含まないと判定された場合に、前記所定のモードが解除されるまで前記印刷データに基づく画像データを印刷しないように前記印刷手段を制御する制御手段と、
を有することを特徴とする印刷装置。
【請求項２】
前記制御手段は、前記印刷データが前記情報を含まないと判定された場合は、前記所定のモードが解除されたことに応じて前記印刷データに基づく画像データを印刷するように前記印刷手段を制御することを特徴とする請求項１に記載の印刷装置。
【請求項３】
前記制御手段は、前記印刷データが前記情報を含まないと判定された場合は、前記受信した印刷データを記憶装置に保持し、前記所定のモードが解除されたことに応じて、前記記憶装置に記憶された前記印刷データに基づく画像データを印刷するように前記印刷手段を制御することを特徴とする請求項２に記載の印刷装置。
【請求項４】
前記設定手段は、前記印刷装置が、サービスパーソンが前記印刷装置のメンテナンス作業を行うメンテナンスモードで動作している間、前記所定のモードが設定されていないときは前記所定のモードを設定するための設定項目を含む画面を表示し、前記メンテナンスモードで、前記所定のモードが設定されているときは前記所定のモードの設定を解除するための設定項目を含む画面を表示することを特徴とする請求項１に記載の印刷装置。
【請求項５】
印刷装置であって、
シートに画像を印刷する印刷手段と、
前記印刷手段により印刷されるシートの枚数を計数する計数手段と、
前記印刷手段による印刷の実行に応じた課金のための前記計数が実行されない所定のモードを設定する設定手段と、
外部装置からネットワークを介して印刷データを受信する受信手段と、
前記設定手段により前記所定のモードが設定されている状態で前記ネットワークを介して受信された印刷データが、前記印刷データがメンテナンス用の印刷データであることを示す情報を含むか否かを判定する判定手段と、
前記印刷データが前記情報を含むと判定された場合は、前記印刷データに基づく画像データに特定のパターンを重畳して印刷するように前記印刷手段を制御し、前記印刷データが前記情報を含まないと判定された場合は、前記所定のモードが解除されるまで前記印刷データに基づく画像データを印刷しないように前記印刷手段を制御する制御手段と、
を有することを特徴とする印刷装置。
【請求項６】
前記制御手段は更に、前記印刷データの送信元にエラーを通知することを特徴とする請求項５に記載の印刷装置。
【請求項７】
印刷装置を制御する制御方法であって、
シートに画像を印刷する印刷工程と、
前記印刷工程で印刷されるシートの枚数を計数する計数工程と、
印刷の実行中に前記計数が行われない所定のモードを設定する設定工程と、
外部装置からネットワークを介して印刷データを受信する受信工程と、
前記所定のモードが設定されている状態で前記ネットワークを介して受信した印刷データが、前記印刷データがメンテナンス用のデータであることを示す情報を含むか否かを判定する判定工程と、
前記印刷データが前記情報を含むと判定された場合に前記印刷データに基づく画像データに特定のパターンを重畳して印刷するように前記印刷工程を制御し、前記印刷データが前記情報を含まないと判定された場合に、前記所定のモードが解除されるまで前記印刷データに基づく画像データを印刷しないように前記印刷工程を制御する制御工程と、
を有することを特徴とする制御方法。
【請求項８】
印刷装置を制御する制御方法であって、
シートに画像を印刷する印刷工程と、
前記印刷工程で印刷されるシートの枚数を計数する計数工程と、
前記印刷工程による印刷の実行に応じた課金のための前記計数が実行されない所定のモードを設定する設定工程と、
外部装置からネットワークを介して印刷データを受信する受信工程と、
前記所定のモードが設定されている状態で前記ネットワークを介して受信された印刷データが、前記印刷データがメンテナンス用の印刷データであることを示す情報を含むか否かを判定する判定工程と、
前記印刷データが前記情報を含むと判定された場合は、前記印刷データに基づく画像データに特定のパターンを重畳して印刷するように前記印刷工程を制御し、前記印刷データが前記情報を含まないと判定された場合は、前記所定のモードが解除されるまで前記印刷データに基づく画像データを印刷しないように前記印刷工程を制御する制御工程と、
を有することを特徴とする制御方法。
【請求項９】
コンピュータに、請求項７又は８に記載の制御方法の各工程を実行させるためのプログラム。
【手続補正２】
【補正対象書類名】明細書
【補正対象項目名】発明の名称
【補正方法】変更
【補正の内容】
【発明の名称】印刷装置とその制御方法、及びプログラム
【手続補正３】
【補正対象書類名】明細書
【補正対象項目名】０００１
【補正方法】変更
【補正の内容】
【０００１】
本発明は、印刷装置とその制御方法、及びプログラムに関する。
【手続補正４】
【補正対象書類名】明細書
【補正対象項目名】０００７
【補正方法】変更
【補正の内容】
【０００７】
上記目的を達成するために本発明の一態様に係る印刷装置は以下のような構成を備える。即ち、
印刷装置であって、
シートに画像を印刷する印刷手段と、
前記印刷手段により印刷されるシートの枚数を計数する計数手段と、
印刷の実行中に前記計数が行われない所定のモードを設定する設定手段と、
外部装置からネットワークを介して印刷データを受信する受信手段と、
前記所定のモードが設定されている状態で前記ネットワークを介して受信した印刷データが、前記印刷データがメンテナンス用のデータであることを示す情報を含むか否かを判定する判定手段と、
前記印刷データが前記情報を含むと判定された場合に前記印刷データに基づく画像データに特定のパターンを重畳して印刷するように前記印刷手段を制御し、前記印刷データが前記情報を含まないと判定された場合に、前記所定のモードが解除されるまで前記印刷データに基づく画像データを印刷しないように前記印刷手段を制御する制御手段と、を有することを特徴とする。
【手続補正５】
【補正対象書類名】明細書
【補正対象項目名】００４１
【補正方法】変更
【補正の内容】
【００４１】
一方、Ｓ７０３でＣＰＵ１１１は、「確認印刷モード」であると判定するとＳ７０６に進み、ＣＰＵ１１１は、Ｓ７０１で受信した印刷ジョブが、特殊なヘッダ付きの印刷データを含むか否かを判定する。ここで特殊なヘッダ付きのデータを含むと判定すると、その印刷ジョブは、サービスマンから投入されたジョブであると判定してＳ７０７に進む。Ｓ７０７でＣＰＵ１１１は、Ｓ７０２で生成した画像データに、図５に示す格子パターンの画像５０１を重畳する。そしてＳ７０８に進みＣＰＵ１１１は、その格子パターンの画像が重畳された画像データを印刷部１２０に出力して印刷させる。そしてＳ７０９に進みＣＰＵ１１１は、非課金カウンタをカウントアップして（通常の課金を行わずに）、この処理を終了する。